(57)【要約】      （修正有）【課題】液晶パネルに、均一な面光源を提供し、その正面輝度を高めるとともに、液晶パネルの広い視野角度機能を実現するパネルモジュールを提供する。【解決手段】映像表示機能を提供する液晶パネルと、バックライトモジュールとによって構成する。液晶パネルはパネルフレームの内側に設けられ、バックライトモジュールは液晶パネルの内面に貼られ、バックライトモジュールは、接着フレームとバックフレームの内側の間に、三枚の拡散片と、導光板と、反射片と、光度が強められた発光ダイオードとを配置してなり、前記拡散片は、導光板の光射出面に重ねて設けられる。導光板の側辺に配置される発光ダイオードから発せられた光線は、導光板を介して射出された後、三つの拡散片によって拡散される。【選択図】図２
0003168764.tif 000002
【実用新案登録請求の範囲】
【請求項１】
映像表示機能を提供する液晶パネルと、バックライトモジュールとによって構成するパネルモジュールであって、
液晶パネルはパネルフレームの内側に設けられ、
バックライトモジュールは液晶パネルの内面に貼られ、バックライトモジュールは、接着フレームとバックフレームの内側の間に、三枚の拡散片と、導光板と、反射片と、光度が強められた発光ダイオードとを順番に配置してなり、
前記拡散片は、導光板の光射出面に重ねて設けられ、
発光ダイオードから発せられた光線は、導光板を介して射出された後、三つの拡散片によって拡散されることを特徴とする、パネルモジュール。
【請求項２】
前記拡散片の数量は増減されることを特徴とする、請求項１に記載のパネルモジュール。
【考案の詳細な説明】
【技術分野】
【０００１】
本考案はパネルモジュールに関し、特に側光式バックライトモジュールを備え、液晶パネルに均一な面光源を提供しその正面輝度を高めることにより、液晶パネルの視野角度が狭くなる問題を改善した広い視野角度機能をもつパネルモジュールに関する。
【背景技術】
【０００２】
図１は、従来の側光式バックライトモジュールのパネルモジュールを示している。図１に示すように、液晶パネルＡがパネルフレームＡ１の内側に設けられ、バックライトモジュールＢが液晶パネルＡの内面に貼られる。バックライトモジュールＢは、接着フレームＢ１とバックフレームＢ２の内側の間に、垂直プリズム片Ｂ３と、水平プリズム片Ｂ４と、拡散片Ｂ５と、導光板Ｂ６と、反射片Ｂ７と、光源となる複数の発光ダイオード（ＬＥＤ）Ｂ８とを順番に配置してなる。発光ダイオードＢ８は、導光板Ｂ６の側辺に配置される。それにより、発光ダイオードＢ８から発せられた光線は導光板Ｂ６に向かって照射され、導光板Ｂ６によって光線の散光方向が導かれ、反射片Ｂ７によって射出された光線の一部が導光板Ｂ６へと反射する。それにより、液晶パネルＡの表示輝度と光度の均一性が高まり、光の利用効率を向上させることができる。さらに、拡散片Ｂ５を用いて光線を拡散させて光線の均一度を調整し、水平プリズム片Ｂ４と垂直プリズム片Ｂ３によって光線を凝集し、光度（正面輝度）を増やし、それにより、十分な光度をもち均一に分布された面光源を液晶パネルＡに提供することができ、映像をよりはっきりと表示させることができる。
【０００３】
この側光式バックライトモジュールＢは、液晶パネルＡの真下に光源を配置する直下式バックライトモジュールと比較すると、より軽量化でき、より薄型化でき、消費電力を低くすることができるといった利点がある。従って、小型の製品、或いは携帯式の製品に適用することができるが、反対に、側光式バックライトモジュールＢは、光線の利用効率が低い、光度が不足する、光度の均一性の制御が難しいといった欠点がある。また、以上の欠点が原因で、液晶パネルＡを見る際の視野角度の範囲が狭くなり、大きく傾斜させて液晶パネルＡを見ると、その画面は明らかに暗くなり、映像をはっきり見ることができなくなる。しかも、この現象は、明るい外の環境にいけばいくほど深刻になる。視野角度が狭くなるという欠点は、正面から操作したり、正面から画面の映像を見たりする電子製品の場合は、影響がそれほど大きくないかもしれない。しかしながら、監視カメラ、映像式の玄関のインターフォンなどの広い視野角度を要求される電子製品は、視野の死角が生じやすく、改良の必要がある。
【考案の概要】
【考案が解決しようとする課題】
【０００４】
本考案は液晶パネルに、均一な面光源を提供し、その正面輝度を高めるとともに、液晶パネルの広い視野角度機能を実現するパネルモジュールを提供することを目的とする。
【課題を解決するための手段】
【０００５】
本考案によるパネルモジュールは、映像表示機能を提供する液晶パネルと、バックライトモジュールとによって構成する。液晶パネルはパネルフレームの内側に設けられ、バックライトモジュールは液晶パネルの内面に貼られ、バックライトモジュールは、接着フレームとバックフレームの内側の間に、三枚の拡散片と、導光板と、反射片と、光度が強められた発光ダイオードとを順番に配置してなり、前記拡散片は、導光板の光射出面に重ねて設けられ、発光ダイオードから発せられた光線は、導光板を介して射出された後、三つの拡散片によって拡散される。
【図面の簡単な説明】
【０００６】
【図１】従来のパネルモジュールを示した分解斜視図である。
【図２】本考案のパネルモジュールを示した分解斜視図である。
【考案を実施するための形態】
【０００７】
図２は本考案のパネルモジュールを示している。本考案のパネルモジュールは、映像表示機能を提供する液晶パネル１と、映像の表示に必要な光源を提供するバックライトモジュール２とからなる。液晶パネル１は、パネルフレーム１０の内側に設けられ、バックライトモジュール２は側光式であるとともに、液晶パネルの内面に貼られる。
【０００８】
バックライトモジュール２は、接着フレーム２１とバックフレーム２２の内側の間に、三枚の拡散片２３、２４、２５と、導光板２６と、反射片２７と、複数の発光ダイオード２８とを配置してなる。その内、発光ダイオード２８は、導光板２６の側辺に配置され、その光度を強める光源として用いられる。導光板２６は、発光ダイオード２８から発せられた光線の散光方向を導き、反射片２７は、導光板２６の底面から射出された光線の一部を、導光板２６内へと反射させ、光の利用効率を向上させる。また、各拡散片２３、２４、２５は、導光板２６の光射出面に重ねられ、導光板２６から射出された光線を拡散させ、光線の均一性を向上させる。さらに、光源となる発光ダイオード２８はその光度を強め、液晶パネル１に更に均一な面光源を提供し、その正面輝度を向上させるとともに、液晶パネル１の視野角度を改善し、斜めからでも画面に表示される映像をはっきりと見ることができるようになる。
【０００９】
本考案を使用すると、発光ダイオード２８から発せられた強い光線が、光板２６を介して射出された後、三つの拡散片２３、２４、２５を通過して拡散され、それにより、光線の均一性か高まり、液晶パネル１に、正面輝度が高く且つ均一な面光源を提供することができ、液晶パネル１の視野角度を改善し、広い視野角度機能を形成して斜めからでも画面に表示される映像をはっきりと見ることができるようになる。
【００１０】
本考案では、側光式バックライトモジュール２の垂直プリズム片と水平プリズム片の代わりに、拡散片２３、２４を設けている。そして、さらに発光ダイオード２８の光度を強めることにより、発光ダイオード２８から発せられた強い光線は、導光板２６を介して射出され、その後、三つの拡散片２３、２４、２５によって拡散され、それにより、液晶パネル１に更に均一な面光源を提供することができ、その正面輝度も向上させることができる。そして、液晶パネル１の視野角度を改善し、斜めからでも画面に表示される映像をはっきりと見ることができるようになる。以上のように、本考案は、広い視野角度機能をもつ。
【００１１】
また、前述したように、本考案の拡散片２３、２４、２５は、従来の垂直プリズム片と水平プリズム片に代替して設けられるが、その数量は、三つであるとは限らず、実際使用する際のニーズに応じて増減させることができる。また、発光ダイオード２８の光度も、同様に、使用上のニーズに応じて調整することができる。なお、従来の垂直プリズム片と水平プリズム片を省略し発光ダイオード２８の光度を強めることにより液晶パネル１の視野角度を改善した本考案の主旨を逸脱しない範囲での変更や追加は、いずれも本考案の実用新案登録請求の範囲とする。
【符号の説明】
【００１２】
Ａ      液晶パネル                                  
Ａ１    パネルフレーム
Ｂ      バックライトモジュール                                  
Ｂ１    接着フレーム
Ｂ２    バックフレーム                                      
Ｂ３    垂直プリズム片
Ｂ４    水平プリズム片                          
Ｂ５    拡散片
Ｂ６    導光板                                    
Ｂ７    反射片
Ｂ８    発光ダイオード
１      液晶パネル                                
１０    パネルフレーム
２      バックライトモジュール                                
２１    接着フレーム
２２    バックフレーム                                      
２３    拡散片
２４    拡散片                                  
２５    拡散片
２６    導光板                                  
２７    反射片
２８    発光ダイオード
【図１】
0003168764.tif 000003
【図２】
0003168764.tif 000004
【手続補正書】
【提出日】平成23年4月20日(2011.4.20)
【手続補正１】
【補正対象書類名】実用新案登録請求の範囲
【補正対象項目名】全文
【補正方法】変更
【補正の内容】
【実用新案登録請求の範囲】
【請求項１】
映像表示機能を提供する液晶パネルと、バックライトモジュールとによって構成するパネルモジュールであって、
液晶パネルはパネルフレームの内側に設けられ、
バックライトモジュールは液晶パネルの内面に貼られ、バックライトモジュールは、接着フレームとバックフレームの内側の間に、三枚の拡散片と、導光板と、反射片と、光度が強められた発光ダイオードとを順番に配置してなり、
前記拡散片は、導光板の光射出面に重ねて設けられ、
前記発光ダイオードは、導光板の側辺に配置され、
発光ダイオードから発せられた光線は、導光板を介して射出された後、三つの拡散片によって拡散されることを特徴とする、パネルモジュール。
【請求項２】
前記拡散片の数量は増減されることを特徴とする、請求項１に記載のパネルモジュール。